(57)【要約】【課題】  操作部の機能を切り替えることなく、負荷の多機能の動作を制御できる操作装置および調光制御システムを提供する。【解決手段】  調光制御システム１は、光源５が配設された複数個の照明器具２と、制御信号を入力し、この制御信号に応じて光源５の調光レベルを含む照明器具２の動作を制御する制御器３と、ディスプレイ６、このディスプレイ６の画面６ａ上に照明器具２の動作機能に対する操作部１５を選択的に表示させる操作表示手段１３およびディスプレイ６の画面６ａ上での操作部１５の操作に応じた制御信号を制御器３に出力する出力制御手段１４を有する調光操作装置４とを具備している。【選択図】図２
2013051139.tif 000002
【特許請求の範囲】
【請求項１】
ディスプレイと；
このディスプレイの画面上に負荷の動作機能に対応する操作部を選択的に表示させる操作表示手段と；
前記ディスプレイの画面上での前記操作部の操作に応じた制御信号を負荷の動作を制御する制御器に出力する出力制御手段と；
を具備することを特徴とする操作装置。
【請求項２】
負荷毎の動作機能とこの動作機能に対する前記操作部との関係を記憶している記憶手段を有し、
前記操作表示手段は、特定の負荷が選択されると、当該負荷に対して必要な操作部を前記記憶手段から読み出して表示させることを特徴とする請求項１記載の操作装置。
【請求項３】
光源が配設された複数個の照明器具と；
制御信号を入力し、この制御信号に応じて前記光源の調光レベルを含む前記照明器具の動作を制御する制御器と；
ディスプレイ、このディスプレイの画面上に前記照明器具の動作機能に対する操作部を選択的に表示させる操作表示手段および前記ディスプレイの画面上での前記操作部の操作に応じた制御信号を前記制御器に出力する出力制御手段を有する操作装置と；
を具備していることを特徴とする調光制御システム。
【請求項４】
操作装置は、前記照明器具の動作を制御する手動操作される固定操作部をさらに有し、前記操作表示手段は、前記固定操作部を除く前記操作部を前記ディスプレイの画面上に表示させることを特徴とする請求項３記載の調光制御システム。
【発明の詳細な説明】
【技術分野】
【０００１】
本発明の一実施形態は、画面上の表示操作部を操作することにより負荷の各種動作が制御される操作装置および調光制御システムに関する。
【背景技術】
【０００２】
舞台やスタジオ等の演出照明では、調光卓の操作面に設けられたフェーダ、ロータリーエンコーダおよびスイッチ等の操作子の操作によって調光制御が行われている。また、照明器具のフォーカシングや照射方向等を変化させることが行われており、操作子としてロータリーエンコーダが用いられている（例えば特許文献１参照。）。
【０００３】
操作子としてロータリーエンコーダを用いた場合、ロータリーエンコーダは、調光卓の操作面に複数個例えば４個が配設され、用途毎にロータリーエンコーダの機能を切り替えている。例えば、照明器具の照射方向を変更する場合には、パン／チルト／フォーカスの機能となるように、照明器具の放射光の色光を変更する場合には、Ｒ（赤）／Ｇ（緑）／Ｂ（青）／Ｗ（白）の機能となるように、選択スイッチ等を用いてロータリーエンコーダの機能を切り替えている。
【先行技術文献】
【特許文献】
【０００４】
【特許文献１】特開２００８−２６９９９５号公報（第７頁、第２図）
【発明の概要】
【発明が解決しようとする課題】
【０００５】
近年、照明器具は、多機能化しており、１個当たりの制御チャンネル数が増加している。例えば色光の制御においては、７色の制御が可能な照明器具も出現している。ここで、例えば４個のロータリーエンコーダで７色の変更操作を行う場合には、ロータリーエンコーダの機能を、例えば４色および３色毎に変更する色光に切替え操作する必要があり、手間を要するという欠点を有する。
【０００６】
また、照明器具の制御チャンネル数の増加に合わせて、調光卓の操作面にロータリーエンコーダを設けると、調光卓が大型化するという欠点を有する。
【０００７】
本発明の実施形態は、操作部の機能を切り替えることなく、負荷の多機能の動作を制御できる操作装置および調光制御システムを提供することを目的とする。
【課題を解決するための手段】
【０００８】
本実施形態の調光制御システムは、照明器具、制御器および操作装置を有して構成される。
【０００９】
照明器具は、複数個からなり、それぞれ光源が配設される。
【００１０】
制御器は、操作装置から制御信号を入力し、この制御信号に応じて照明器具の動作を制御するように形成される。ここで、制御信号は、調光信号を含み、照明器具の動作は、調光信号に応じて光源の調光レベルが変更されることを含んでいる。
【００１１】
操作装置は、ディスプレイ、操作表示手段および出力制御手段を有して構成される。操作表示手段は、ディスプレイの画面上に照明器具の動作機能に対する操作部を選択的に表示させるように形成される。出力制御手段は、ディスプレイの画面上での操作部の操作に応じた制御信号を制御器に出力するように形成される。
【発明の効果】
【００１２】
本実施形態の調光制御システムによれば、操作装置は、ディスプレイの画面上に照明器具の動作機能に対する操作部が選択的に表示され、この操作部の操作に応じて制御信号が制御器に出力されるので、照明器具の動作機能に対する操作部が増加しても、ディスプレイの画面上に増加した動作機能に対する操作部を表示することにより、操作部の機能を切り替えることなく、照明器具の多機能の動作を制御することができて、省力化を図ることが期待できる。
【図面の簡単な説明】
【００１３】
【図１】本発明の一実施形態を示す調光制御システムの概略ブロック図である。
【図２】同じく、調光操作装置の概略ブロック図である。
【図３】同じく、調光操作装置の概略上面図である。
【図４】同じく、ディスプレイの画面上に表示された操作部の配置を示す調光操作装置の概略上面図である。
【図５】同じく、ディスプレイの画面上に表示された別の操作部の配置を示す調光操作装置の概略上面図である。
【発明を実施するための形態】
【００１４】
以下、本発明の一実施の形態について、図面を参照して説明する。
本実施形態の調光制御システム１は、図１に示すように、負荷としての照明器具２、制御器３および操作装置としての調光操作装置４を有して構成されている。制御器３は、照明器具２内に配設されている。
【００１５】
照明器具２は、光源５が配設された既知の構成により形成されている。光源５は、図示しない発光ダイオードを有してなり、その多数個が図示しない基板に実装されている。また、光源２は、赤色（Ｒ）、緑色（Ｇ）、青色（Ｂ）および白色（Ｗ）の色光をそれぞれ放射する発光ダイオードが集合されて形成されている。照明器具２内には、発光ダイオードを点灯する図示しない点灯装置が配設されている。そして、照明器具２Ａ〜２Ｃのうち、照明器具２Ｂ，２Ｃは、図示しない駆動装置により、パン駆動またはチルト駆動して照射方向が可変されるように形成されている。また、照明器具２Ｂ，２Ｃは、後述する他の動作機能を有している。
【００１６】
照明器具２Ａは、表１に示すように、調光操作装置４（制御器３Ａ）の制御により、光源５が赤色光、緑色光、青色光および白色光を放射するように制御される。すなわち、照明器具２Ａの制御チャンネル（ＣＨ）数は、４となっている。照明器具２Ｂは、調光操作装置４（制御器３Ｂ）の制御により、照明器具２Ａの上記機能に加えて、ストロボ（閃光）、パン駆動およびチルト駆動の各動作をするように制御され、制御ＣＨ数が7となっている。
【００１７】
また、照明器具２Ｃは、調光操作装置４（制御器３Ｃ）の制御により、照明器具２Ａの機能に加えて、色温度の変化、ズーム、ディマー（調光点灯）、エフェクト、パン駆動およびチルト駆動の各動作をするように制御され、制御ＣＨ数が１０となっている。色温度の変化は、赤色光、緑色光、青色光および白色光の混色割合を変化させることにより行える。また、エフェクトの機能は、光源５の点滅や立ち上り時間、立ち下りの時間を変化させることによって行える。
【００１８】
照明器具２の動作機能と制御ＣＨとの関係は、表１に示すように、照明器具２毎に割り当てられている。すなわち、照明器具２Ａ，２Ｂ，２Ｃにおいて、制御ＣＨ１，制御ＣＨ２，制御ＣＨ３，制御ＣＨ４は、それぞれ光源５の赤色光，緑色光，青色光，白色光の光強度（光量）の制御に割り当てられている。また、照明器具２Ｂにおいて、制御ＣＨ５，制御ＣＨ６，制御ＣＨ７は、それぞれストロボ，パン駆動，チルト駆動の制御に割り当てられている。また、照明器具２Ｃにおいて、制御ＣＨ５，制御ＣＨ６，制御ＣＨ７，制御ＣＨ８，制御ＣＨ９，制御ＣＨ１０は、それぞれ色温度の変化，ズーム，ディマー，エフェクト，パン駆動，チルト駆動の各制御に割り当てられている。
【００１９】
【表１】
2013051139.tif 000003
【００２０】
なお、照明器具２Ａ〜２Ｃは、それぞれ１個であってもよく、複数個であってもよい。
【００２１】
調光操作装置４から送信された制御信号は、図１に示すように、調光盤ＤＸ内に配設されたスプリッタＳＸに入力され、このスプリッタＳＸから各照明器具２に分配され、各照明器具２内の制御器３に出力される。そして、調光盤ＤＸには、図示しない電源が配設されており、この電源は、各照明器具２に供給されている。
【００２２】
調光操作装置４から送信される制御信号は、例えばＤＭＸ信号（調光信号）であり、このＤＭＸ信号は、光源５の調光レベルを制御するとともに、駆動装置等を動作させる駆動信号や他の制御用信号が重畳されている。ＤＭＸ信号は、米国劇場技術協会（ＵＳＩＴＴ）が規格した演出分野などに用いられるデジタル信号であり、調光制御用の調光信号の規格として用いられているＤＭＸ５１２を指している。
【００２３】
制御器３は、調光操作装置４から送信された制御信号に応じて前記照明器具２の動作を制御する既知の構成により形成されている。制御器３は、光源５の調光レベルを変化させるときには、ＤＭＸ信号に応じたオンデューティを有するＰＷＭ信号を生成して、照明器具２の図示しない点灯装置に出力する。このとき、点灯装置は、ＰＷＭ信号のオンデューティに応じた調光レベルで光源５を点灯するものである。
【００２４】
調光操作装置４は、例えば調光卓であり、照明器具２の動作を制御する制御信号を出力するものである。図２に示すように、調光操作装置４は、ディスプレイ６、固定操作部としてのロータリーエンコーダ７、キーボード部８、記憶手段としての記憶部９、制御部１０、出力部１１および電源部１２を有して構成されている。ディスプレイ６、キーボード部８、記憶部９および制御部１０は、操作表示手段１３を形成している。また、制御部１０および出力部１１は、出力制御手段１４を形成している。電源部１２は、制御部１０等に動作電源を供給する。そして、ディスプレイ６、ロータリーエンコーダ７およびキーボード部８は、調光操作装置４の操作面４ａに設けられている。
【００２５】
ディスプレイ６は、例えば液晶パネル（タッチパネル）である画像を表示する画面６ａを有し、図示しない入力装置と入力位置装置を組み合わせて形成されている。ディスプレイ６の画面６ａ上には、図４または図５に示すように、表１に示す照明器具２の動作機能に対する操作部としてのグラフィックロータリーエンコーダ１５が表示される。
【００２６】
ロータリーエンコーダ７は、図３ないし図５に示すように、調光操作装置４の操作面４ａに４個が設けられている。ロータリーエンコーダ７ａ〜７ｄは、照明器具２Ａ，２Ｂ，２Ｃにおける制御ＣＨ１〜制御ＣＨ４に対応しており、回転操作によって照明器具２の放射光の各色光の光強度を変化させるものである。すなわち、例えば、ロータリーエンコーダ７ａが操作されると、光源５から放射される赤色光の光強度が変化される。同様に、ロータリーエンコーダ７ｂ，７ｃ，７ｄの操作に対して、それぞれ緑色光，青色光，白色光の光強度が変化される。
【００２７】
キーボード部８は、テンキーやファンクションキーなどの既知の操作キーを備えている。そして、操作キーの入力によって、制御対象の照明器具２Ａ，２Ｂ，２Ｃが選択される。選択された照明器具２は、制御部１０により、ディスプレイ６の画面６ａに表示される。
【００２８】
記憶部９は、照明器具２毎に、表１に示す明照明器具２の動作機能と制御ＣＨとの対応付け（関係）などを記憶している。
【００２９】
制御部１０は、マイコンを有して形成され、ＣＰＵ（中央処理装置）１６がＲＯＭ１７に記憶されているプログラムに基づいて各種演算や制御動作する。ここで、ＲＡＭ１８には、演算データ等が記憶される。すなわち、制御部１０は、ロータリーエンコーダ７が操作されると、その操作量に応じた制御信号（調光信号）を生成して、出力部１１から調光盤ＤＸ内のスプリッタＳＸに出力する。
【００３０】
また、制御部１０は、キーボード部８の操作キーの操作に応じて、ロータリーエンコーダ７を除く操作部としてのグラフィックロータリーエンコーダ１５をディスプレイ６の画面６ａ上に表示させる。例えばキーボード部８において照明器具２Ｂが選択されると、図４に示すように、制御ＣＨ５，６，７に対応付けた３個のグラフィックロータリーエンコーダ１５をディスプレイ６の画面６ａ上に表示させる。グラフィックロータリーエンコーダ１５ａは、制御ＣＨ５に対応し、照明器具２Ｂのストロボ機能を制御させ、グラフィックロータリーエンコーダ１５ｂは、制御ＣＨ６に対応し、パン駆動の機能を制御させ、グラフィックロータリーエンコーダ１５ｃは、制御ＣＨ５に対応し、チルト駆動の機能を制御させるものである。
【００３１】
また、キーボード部８において照明器具２Ｃが選択されると、図５に示すように、制御ＣＨ５，６，７，８，９，１０に対応付けた６個のグラフィックロータリーエンコーダ１５をディスプレイ６の画面６ａ上に表示させる。グラフィックロータリーエンコーダ１５ｄ，１５ｅ，１５ｆ，１５ｇ，１５ｈ，１５ｉは、それぞれ制御ＣＨ５，６，７，８，９，１０に対応し、それぞれ照明器具２Ｃの色温度の変化，ズーム，ディマー，エフェクト，パン駆動，チルト駆動の各機能を制御させる。
【００３２】
そして、制御部１０は、ディスプレイ６の画面６ａに表示されたグラフィックロータリーエンコーダ１５が回転操作されると、記憶部９に記憶されている明照明器具２の動作機能と制御ＣＨとの対応付け（関係）を読み出し、グラフィックロータリーエンコーダ１５の操作量に応じた制御信号を生成して、当該制御信号を出力部１１から調光盤ＤＸ内のスプリッタＳＸを介してグラフィックロータリーエンコーダ１５に対応付けられた制御器３に出力する。
【００３３】
例えば図４に示すグラフィックロータリーエンコーダ１５ｂが回転操作されると、主制御部１０は、その操作量に応じた制御信号をスプリッタＳＸを介して制御器３Ｂに出力する。制御器３Ｂは、制御信号に応じて照明器具２Ｂをパン駆動させる。同様に、グラフィックロータリーエンコーダ１５ｃが回転操作されると、照明器具２Ｂがチルト駆動される。
【００３４】
また、図５において、グラフィックロータリーエンコーダ１５ｈが回転操作されると、主制御部１０は、その操作量に応じた制御信号をスプリッタＳＸを介して制御器３Ｃに出力する。制御器３Ｃは、制御信号に応じて照明器具２Ｃをパン駆動させる。同様に、グラフィックロータリーエンコーダ１５ｉが回転操作されると、照明器具２Ｃがチルト駆動される。
【００３５】
グラフィックロータリーエンコーダ１５の回転操作は、人の指またはマウスポインタによって行える。
【００３６】
次に、本発明の実施形態の作用について述べる。
【００３７】
舞台やスタジオ等の照明演出において、照明器具２から放射される放射光の色光を変化させるには、当該色光を変化させる照明器具２をキーボード部８の操作キーを操作して選択する。このとき、選択される照明器具２Ａ、２Ｂ、２Ｃは、個別またはそれらの組み合わせとすることができる。
【００３８】
放射光の色光の変化は、固定操作部としてのロータリーエンコーダ７を手動操作して行う。ロータリーエンコーダ７ａを回転操作させると、その操作量に応じた制御信号（調光信号）が調光操作装置４の出力部１１から選択された照明器具２に対応している制御器３に調光盤ＤＸ内のスプリッタＳＸを介して出力される。制御器３は、制御信号に応じて選択された照明器具２を制御し、当該照明器具２は、放射する赤色光の光強度（光量）が変化される。すなわち、照明器具２は、ロータリーエンコーダ７ａを回転操作させるにしたがって、光源５から放射する赤色光の光強度が変化する。
【００３９】
また、ロータリーエンコーダ７ｂ，７ｃ，７ｄをそれぞれ回転操作させると、それぞれ放射光の緑色光，青色光，白色光が変化される。
【００４０】
そして、照明器具２Ｂに対して、ストロボさせたり、パン駆動またはチルト駆動させて照射方向を変化させるときには、キーボード部８の操作キーを操作して照明器具２Ｂを選択するとともに、グラフィックロータリーエンコーダ１５の表示を選択する。調光操作装置４の制御部１０は、図４に示すように、ディスプレイ６の画面６ａ上にグラフィックロータリーエンコーダ１５ａ，１５ｂ，１５ｃを表示させる。
【００４１】
グラフィックロータリーエンコーダ１５ａ，１５ｂ，１５ｃは、それぞれの位置にマウスポインタが位置された後に、マウスを操作することにより、ディスプレイ６の画面６ａ上で回転する。制御部１０は、その回転量に応じた制御信号を生成して出力部１１からスプリッタＳＸを介して照明器具２の制御器３に出力する。照明器具２Ｂ内の制御器３Ｂは、制御信号の自己の先頭チャンネル（ＣＨ）に応じて当該制御信号を入力する。
【００４２】
制御器３Ｂは、制御信号に応じて照明器具２Ｂを制御する。これにより、照明器具２Ｂは、グラフィックロータリーエンコーダ１５ａ，１５ｂ，１５ｃの回転操作に応じた制御動作をする。すなわち、グラフィックロータリーエンコーダ１５ａが回転操作されると、照明器具２Ｂからストロボ（閃光）が放射される。また、グラフィックロータリーエンコーダ１５ｂが回転操作されると、照明器具２Ｂは、パン駆動して照射方向が変化される。グラフィックロータリーエンコーダ１５ｃが回転操作されると、照明器具２Ｂは、チルト駆動して照射方向が変化される。
【００４３】
そして、照明器具２Ｃに対して、表１に示す制御ＣＨ５〜制御ＣＨ１０の機能を動作させるときには、キーボード部８の操作キーを操作して照明器具２Ｃを選択するとともに、グラフィックロータリーエンコーダ１５の表示を選択する。
【００４４】
制御部１０は、図５に示すように、ディスプレイ６の画面６ａ上にグラフィックロータリーエンコーダ１５ｄ，１５ｅ，１５ｆ，１５ｇ，１５ｈ，１５ｉを表示させる。
【００４５】
グラフィックロータリーエンコーダ１５ｄ〜１５ｉがディスプレイ６の画面６ａ上で回転操作されると、制御部１０は、その回転量に応じた制御信号を生成して出力部１１からスプリッタＳＸを介して照明器具２の制御器３に出力する。照明器具２Ｃ内の制御器３Ｃは、制御信号の自己の先頭チャンネル（ＣＨ）に応じて当該制御信号を入力する。制御器３Ｃは、制御信号に応じて照明器具２Ｃを制御する。照明器具２Ｃは、グラフィックロータリーエンコーダ１５ｄ〜１５ｉの回転操作に応じた制御動作をする。
【００４６】
グラフィックロータリーエンコーダ１５ｄが回転操作されると、照明器具２Ｃから放射される放射光の色温度が変化される。グラフィックロータリーエンコーダ１５ｅが回転操作されると、照明器具２Ｃは、ズーム動作し、照明器具２Ｃの照射領域が変化される。
【００４７】
また、グラフィックロータリーエンコーダ１５ｆが回転操作されると、照明器具２Ｃは、ディマー（調光点灯）し、照明器具２Ｃから放射される放射光の光強度（光量）が変化される。グラフィックロータリーエンコーダ１５ｇが回転操作されると、照明器具２Ｃは、エフェクト（効果）の機能をする。そして、グラフィックロータリーエンコーダ１５ｈ，１５ｉがそれぞれ回転操作されると、照明器具２Ｃは、それぞれパン駆動，チルト駆動して照射方向が変化される。
【００４８】
本実施形態の調光制御システム１によれば、調光操作装置４は、ディスプレイ６の画面６ａ上に照明器具２の制御ＣＨ（動作機能）に対するグラフィックロータリーエンコーダ１５が選択的に表示され、このグラフィックロータリーエンコーダ１５の回転操作に応じて制御信号が制御器３に出力されるので、照明器具２の制御ＣＨ（動作機能）が増加しても、ディスプレイ６の画面６ａ上に増加した制御ＣＨ（動作機能）に対するグラフィックロータリーエンコーダ１５を表示することにより、固定操作部としてのロータリーエンコーダ７の機能を切り替えることなく、照明器具２の多機能の動作を制御することができて、これにより、省力化を図ることができるという効果を有する。
【００４９】
また、グラフィックロータリーエンコーダ１５は、照明器具２の制御ＣＨのうち、固定操作部としてのロータリーエンコーダ７の制御ＣＨを除く制御ＣＨがディスプレイ６の画面６ａ上に表示されるので、ディスプレイ６の画面６ａ上に表示されるグラフィックロータリーエンコーダ１５の数量を少なくすることができて、グラフィックロータリーエンコーダ１５の回転操作を行いやすいという効果を有する。
【００５０】
なお、本実施形態では、操作部としてグラフィックロータリーエンコーダ１５を、固定操作部としてロータリーエンコーダ７をそれぞれ用いたが、これに限らず、それらは、直線状または曲線状に操作されるフェーダ等であってもよい。
【００５１】
また、負荷として照明器具２を用いたが、これは一例であって、負荷は、カメラ装置などの電力を消費する電気機器であってもよい。このとき、操作装置４は、上述したように、当該電気機器を制御するように形成される。
【符号の説明】
【００５２】
１…調光制御システム、  ２…負荷としての照明器具、  ３…制御器、  ４…操作装置としての調光操作装置、  ５…光源、  ６…ディスプレイ、  ７…固定操作部としてのロータリーエンコーダ、  ９…記憶手段としての記憶部、  １３…操作表示手段、  １４…出力制御手段、  １５…操作部としてのグラフィックロータリーエンコーダ
【図１】
2013051139.tif 000004
【図２】
2013051139.tif 000005
【図３】
2013051139.tif 000006
【図４】
2013051139.tif 000007
【図５】
2013051139.tif 000008